Podtech/llm-jp-corpus-v4-ja_patent huggingface dataset:
(57)【要約】【課題】  組立工数が少なく、器具温度上昇の少ない天井用埋込形照明器具を提供する。【解決手段】  下面開放状を呈し内部に光源５０を配置する器具本体１０を備える。前記器具本体１０の下方に離隔対向状に配置するパネル２０を備える。前記パネル２０は前記器具本体１０から下方へ投射される光を透過しその一部を上向きに転向させる光学部材である。前記パネル２０を前記器具本体１０から吊り下げる一対の吊具３０を備える。前記各吊具３０は水平な針金の両端部を下向きに折り曲げて足部３２とする線状かつコ字形の部材である。前記各吊具３０における垂直な前記各足部３２の下端を前記パネル２０に係止する。前記各吊具３０における前記両足部３２相互間の水平線部を前記器具本体１０における下部周縁の鍔部１１に係止する。【選択図】    図１
2006173073.tif 000002
【特許請求の範囲】
【請求項１】
下面開放状を呈し内部に光源を配置する器具本体を備え、前記器具本体の下方に離隔対向状に配置するパネルを備え、前記パネルは前記器具本体から下方へ投射される光を透過しその一部を上向きに転向させる光学部材であり、前記パネルを前記器具本体から吊り下げる一対の吊具を備え、前記各吊具は水平な針金の両端部を下向きに折り曲げて足部とする線状かつコ字形の部材であり、前記各吊具における垂直な前記各足部の下端を前記パネルに係止し、前記各吊具における前記両足部相互間の水平線部を前記器具本体における下部周縁の鍔部に係止したことを特徴とする天井用埋込形照明器具。
【発明の詳細な説明】
【技術分野】
【０００１】  本発明は天井用埋込形照明器具の下面方向にパネルを吊り下げるための構造に関する。
【背景技術】
【０００２】  従来は、天井用埋込形照明器具の下面にパネルを取り付けるため鍔部にネジを固定してそのネジに飾り筒を被せ、飾り筒をパネル押さえとして飾りナットにより固定していた。
【発明の開示】
【発明が解決しようとする課題】
【０００３】  従来品では、パネル固定するのに器具本体の鍔部分に少なくても２箇所以上の吊り構造を設ける為、穴の数だけ個々に部品が必要で部品点数が多くなり組立工数がかかる。また取り付けにネジ等での固定方法を使うため、意匠的にそのネジを隠す飾り筒等が必要となる。さらに飾り筒等を使うとネジ等を隠すため、飾り筒部分が太くなり光源からパネルに光が反射する際、天井に飾り筒の陰が映り込んでしまう。さらにパネルが器具の下面を覆うのでランプ交換時にはパネルを外さないと交換できない。また覆われたパネルにより器具温度が上昇する問題があった。
【課題を解決するための手段】
【０００４】  本発明においては、天井用埋込形照明器具の下方に離隔対向状に配置するパネルを設け、そのパネルを吊りさげる水平で湾曲した針金の両端部を下向きに折り曲げて足部とする線状かつコの字形部材。前記吊り具の先端を器具本体鍔部の天井に接する側より通し、さらにパネルの引掛け穴に先端を引掛けパネルが上下しないように押さえ飾りで吊り具先端をパネルに固定した。またパネルを器具開口部と同等の穴を設けドーナツ状のパネルとした。
【発明の効果】
【０００５】  本発明によれば下方に離隔対向状に配置するパネルを設け、そのパネルを吊りさげる水平で湾曲した針金の両端部を下向きに折り曲げて足部とする線状かつコ字形の部材を吊り具とし、器具本体鍔部内側から通されることで器具本体が天井に着くと鍔部が天井と密着するので鍔部内面と天井にはさまれ吊り具が固定される。吊り具が固定されることによりパネルは左右に動くことがない。吊り具が線材であるために光の妨げにもならない。またパネルから出る吊り具先端を押え飾りでパネルに固定するため、パネルは上下にも動かない。これらによりパネルの固定が出来きるので組立工数の低減に効果がある。また固定されたパネルはドーナツ状で中央に穴があるためパネルを外さなくても光源の交換が出来きるため光源交換の作業性がよくなる。また光源からの熱も逃がすことが出来るので器具の温度上昇も押さえる効果がある。
【発明を実施するための最良の形態】
【０００６】  本発明の実施形態を図１・図２より説明する。天井用埋込形器具本体１０は下面開放状で内部に光源５０を配置している。前記器具本体１０の下方に離隔対向状にドーナツ状で光を透過しその一部を天井方向に転向させる光学部材のパネル２０を備え、前記パネル２０は引掛け穴２１を複数備え、前記器具本体１０の鍔部１１に複数の穴１２を設けてあり、その前記穴１２より吊り下げる一対の吊り具３０は水平な湾曲部３１より広がる針金で両端を下向きに折り曲げ足部３２を前記鍔部１１の前記穴１２より通し下面に出た線状かつコの字の部材で前記足部３２の先端を前記パネル２０にある複数の前記引掛け穴２１に通してその先端部を押さえ飾り４０で前記パネル２０に固定する。
図２のように、前記パネル２０に固定されている前記押え飾り４０は爪４１がついていて前記パネル２０より外れない。また前記吊り具３０も器具本体１０を施工することで前記天井材６０と前記鍔部１１とに挟まれ固定されるので前記器具本体１０の光源５０から出た光は前記パネル２０に反射して天井面を照らすことが出来る。また器具単体の時は前記吊り具２０は前記鍔部１１に固定されないので前記パネル２０を前記鍔部１１に引き寄せることが出来るのでコンパクトになり梱包が容易になる。
【図面の簡単な説明】
【０００７】
【図１】本発明に係る天井用埋込形照明器具の分解斜視図
【図２】その器具取り付け状態を示す断面図
【符号の説明】
【０００８】１０：器具本体
１１：鍔部
１２：穴
２０：パネル
２１：引掛け穴
３０：吊り具
３１：湾曲部
３２：足部
４０：押え飾り
４１：爪
５０：光源
６０：天井材
【図１】
2006173073.tif 000003
【図２】
2006173073.tif 000004
(57)【要約】      （修正有）【課題】Ｌ形ダウンライト照明器具において、その部品基板１の縁とダウンライト取付穴８との干渉を最小限に留めることで、Ｌ形ダウンライト照明器具の取り付けを容易にする。【解決手段】ダウンライト（部品基板１がＬ形を呈するＬ形ダウンライト）とこれを装着する天井材を備え、前記天井材にダウンライト取付穴を形成し、  前記ダウンライトを前記部品基板１が先となり前記反射笠２が後となるように傾けて前記ダウンライト取付穴に挿入する際に、前記挿入が容易となるように、前記部品基板１における前記Ｌ字状の外側のコーナー部Ｑの縁をなだらかな弧状に形成する。前記挿入は片口金形ランプの装着前になされる。【選択図】    図１
2006173071.tif 000002
【特許請求の範囲】
【請求項１】
下面側に開口し側面にランプ導入孔を設けた反射笠を備え、前記反射笠の頂部に連結されそこからＬ字状に水平に延在する部品基板を備え、前記部品基板に連結されそこから垂下するソケット基板を備え、前記ソケット基板に固定されるソケットを備え、前記ソケットに装着されその主発光部が前記ランプ導入孔を介して前記反射笠の中央に位置する片口金形ランプを備え、前記部品基板の下面側に配置する点灯用部品を備え、
以上のように構成されるダウンライトとこれを装着する天井材を備え、前記天井材にダウンライト取付穴を形成し、
前記ダウンライトを前記部品基板が先となり前記反射笠が後となるように傾けて前記ダウンライト取付穴に挿入する際に、前記挿入が容易となるように、前記部品基板における前記Ｌ字状の外側のコーナー部の縁をなだらかな弧状に形成したことを特徴とするダウンライト装置。
【発明の詳細な説明】
【技術分野】
【０００１】  本発明はＬ形ダウンライト照明器具を天井取付穴に挿入する際、その作業性を向上させたダウンライト照明器具の構造に関するものである。
【背景技術】
【０００２】  従来の部品基板の形状は多角形で構成されており、Ｌ形ダウンライト照明器具をまわしながら挿入する際、部品基板の縁が天井取付穴に干渉し、取り付けが容易ではない場合があった。
そのため、部品基板前部の一部の形状をアーチ形にすることにより、部品基板と天井取付穴との間隔を広げることが出来る。その結果部品基板の縁と天井取付穴との干渉が少なくなり、Ｌ形ダウンライト照明器具の取り付けを容易にすることができる。
【発明の開示】
【発明が解決しようとする課題】
【０００３】  本発明の目的は、Ｌ形ダウンライト照明器具において、その部品基板の縁とダウンライト取付穴との干渉を最小限に留めることで、Ｌ形ダウンライト照明器具の取り付けを容易にすることである。
【課題を解決するための手段】
【０００４】  本発明は、部品基板前部の一部の形状をなだらかな弧状に形成する。
【発明の効果】
【０００５】  本発明は、部品基板前部の一部の形状をなだらかな弧状に形成ことで部品基板とダウンライト取付穴との間隔が広がり、それにより部品基板の縁と天井取付穴との干渉が最小限に少なくなり、その結果Ｌ形ダウンライト照明器具の取り付けを容易にすることができる。
【発明を実施するための最良の形態】
【０００６】  本発明の実施形態を図１〜図５を用いて説明する。図１〜図３は本発明に係る図面である。図４・図５は従来品に係る図面である。本発明の図１は従来の図４に対応し、本発明の図３は従来の図５に対応する。
本発明においては、下面側に開口し側面にランプ導入孔７を設けた反射笠２を備え、前記反射笠２の頂部に連結されそこからＬ字状に水平に延在する部品基板１を備え、前記部品基板１に連結されそこから垂下するソケット基板４を備え、前記ソケット基板４に固定されるソケット５を備え、前記ソケット５に装着されその主発光部が前記ランプ導入孔７を介して前記反射笠２の中央に位置する片口金形ランプ（図示省略）を備え、前記部品基板１の下面側に配置する点灯用部品３を備え、
以上のように構成されるダウンライト（部品基板１がＬ形を呈するＬ形ダウンライト）とこれを装着する天井材８０を備え、前記天井材８０にダウンライト取付穴８を形成し、
前記ダウンライトを前記部品基板１が先となり前記反射笠２が後となるように傾けて前記ダウンライト取付穴８に挿入する際に、前記挿入が容易となるように、前記部品基板１における前記Ｌ字状の外側のコーナー部Ｑの縁をなだらかな弧状に形成する。前記挿入は片口金形ランプの装着前になされる。
従来のコーナー部ｑには角Ａがあり、前記挿入の際にコーナー部ｑに属する角Ａが前記ダウンライト取付穴８の縁に当たり、スムーズな挿入を阻害する。本発明においてはコーナー部Ｑの縁をなだらかな弧状に形成したので、以上の当たりが緩和されスムーズな挿入が可能となる。
用語ダウンライト装置はダウンライトおよび天井材８０を含む。９は点灯用部品３の後方に配置する端子台である。反射板２の側面前部に一箇所、反射板２の側面後部に二箇所固定される支柱６を備え、支柱６の溝に上下にスライド可能な取付金具１０を備える。
【図面の簡単な説明】
【０００７】
【図１】本発明に係るダウンライトの平面図
【図２】同ダウンライトをダウンライト取付穴に挿入する様子を示す斜視図
【図３】図２の平面図
【図４】図１に対応する従来品の平面図
【図５】図３に対応する同従来品の平面
【符号の説明】
１：部品基板
２：反射笠
３：点灯用部品
４：ソケット基板
５：ソケット
７：ランプ導入孔
８：ダウンライト取付穴
８０：天井材
Ｑ：コーナー部
【図１】
2006173071.tif 000003
【図２】
2006173071.tif 000004
【図３】
2006173071.tif 000005
【図４】
2006173071.tif 000006
【図５】
2006173071.tif 000007
(57)【要約】      （修正有）【課題】接着剤の塗布量が少ない場合においても電子部品を的確に固定する。【解決手段】プリント基板２を備え、一対のリード部３５を有する電子部品３を備え、前記プリント基板２に前記各リード部３５を半田で固定するためのランドを形成し、前記プリント基板２における前記ランド相互間にシルク印刷層１を形成し、前記シルク印刷層１に接着剤４を施し該接着剤４で前記電子部品３を固定する。【選択図】図１
2006173546.tif 000002
【特許請求の範囲】
【請求項１】
プリント基板を備え、一対のリード部を有する電子部品を備え、前記プリント基板に前記各リード部を半田で固定するためのランドを形成し、前記プリント基板における前記ランド相互間にシルク印刷層を形成し、前記シルク印刷層に接着剤を施し該接着剤で前記電子部品を固定したことを特徴とするプリント基板装置。
【発明の詳細な説明】
【技術分野】
【０００１】  本発明は電子部品（表面実装部品）とこれを搭載するプリント基板を含むプリント基板装置に関するものである。
【背景技術】
【０００２】  図３・図４は従来一般のプリント基板装置ないしはプリント基板２である。図３・図４においては、プリント基板２を備え、一対のリード部３５を有する電子部品（表面実装部品）３を備え、前記プリント基板２に前記各リード部３５を半田で固定するためのランド５を形成し、前記プリント基板２に接着剤４を施し該接着剤４で前記電子部品３を固定する。  プリント基板２上に接着剤４を塗布し、この上に電子部品３をマウントした後で半田にて固定する手順となる。
【発明の開示】
【発明が解決しようとする課題】
【０００３】  図３・図４においては、接着剤４の量が少ないと接着剤４と電子部品３との間に図３のごとき隙間が発生することがある。この状態で自動コンベア等でプリント基板２を搬送・移動させると、搬送途中で電子部品３の位置がずれ易い。  本発明の目的は、接着剤４の塗布量が少ない場合においても電子部品３を適格に固定することである。
【課題を解決するための手段】
【０００４】  本発明においては、プリント基板を備え、一対のリード部を有する電子部品を備え、前記プリント基板に前記各リード部を半田で固定するためのランドを形成し、前記プリント基板における前記ランド相互間にシルク印刷層を形成し、前記シルク印刷層に接着剤を施し該接着剤で前記電子部品を固定する。  シルク印刷はプリント基板に適宜の記号・マークを描く際に多用されている。本発明はこれを利用する。
【発明の効果】
【０００５】  本発明によれば、プリント基板に電子部品を固定する場合、少ない接着剤で確実にこれを固定できるため、自動コンベア等でプリント基板を搬送・移動させても電子部品がずれにくくなる効果がある。
【発明を実施するための最良の形態】
【０００６】  図１・図２を用いて本発明の実施形態について説明する。図示のごとく、プリント基板２を備え、一対のリード部３５を有する電子部品３を備え、前記プリント基板２に前記各リード部３５を半田で固定するためのランド５を形成し、前記プリント基板２における前記ランド５相互間にシルク印刷層１を形成し、前記シルク印刷層１に接着剤４を施し該接着剤４で前記電子部品３を固定する。  プリント基板２と電子部品３との間の隙間はリード部３５の寸法・形状に関わる。シルク印刷層１の役割はプリント基板２と電子部品３の間隔を狭め、接着剤４の適正量を少なくすることである。接着剤４の適正量が少ないと、塗布した接着剤４がランド５へ流れ出す可能性が小さく、その点の不良防止にも役立つ。
【図面の簡単な説明】
【０００７】
【図１】本発明に係るプリント基板装置の正面図
【図２】図１装置に用いるプリント基板の平面図
【図３】従来のプリント基板装置の正面図
【図４】図３同装置に用いるプリント基板の平面図
【符号の説明】
１：シルク印刷層２：プリント基板３：電子部品４：接着剤５：ランド３５：リード部
【図１】
2006173546.tif 000003
【図２】
2006173546.tif 000004
【図３】
2006173546.tif 000005
【図４】
2006173546.tif 000006
(57)【要約】      （修正有）【課題】今後９０ナノ以下のコンタクトホールの穴の自然酸化膜を除去する方法を提供する。【解決手段】混合液をベーパ状（１００℃以上）にしてチヤンバー内を加圧（７６０トール以上）にします加圧することにおいて混合ベーパがコンタクトホールの穴の中まで強制的注入します注入によって自然酸化膜との化学反応で分解させますその後クリーンホットＮ２ガス（１００℃以上）を加圧してそして減圧します圧力差で分解した成分をコンタクトホールの穴から除去します。【選択図】図１
2006173547.tif 000002
【特許請求の範囲】
【請求項１】
チヤンバー内にウエーハを収納します。チヤンバー内を減圧します（理想１トール位い）フツ化水素酸とフツ化アンモニウムと超純水と界面活性剤液の混合液をベーパ状（１００℃以上）にしますそのベーパをウエーハ面内にふきつけしますチヤンバー内の圧力を８００トール以上にしてコンタクトホールの穴の中に強制的に注入しますそれで穴の中の自然酸化膜と化学反応させます注入終了後チヤンバー内を７６トール以下にしますその後クリーンホツトＮ２ガスを注入しますガス温度は１００℃以上ですチヤンバー内の圧力を加圧します（８００トール以上）加圧終了後減圧します（理想減圧７６トール位い）化学反応した成分を差圧でコンタクトホールから除去しますもちろんウエーハ面内の成分も除去します減圧終了後チヤンバー内に常温のクリーンＮ２ガスを注入して７６０トール位いにしてチヤンバーからウエーハを取り出しします
【請求項２】
請求項１の混合液から界面活性剤液を省略した混合液でする方法です方法は請求項１と同じです
【発明の詳細な説明】
【発明の詳細な説明】
【０００１】〔発明の属する技術分野〕コンタクトホールの巾が小さくなると液体がコンタクトホールの中まで入りにくくなるそれで自然酸化膜が除去できなくなる
【０００２】〔従来の技術〕ＨＦ水（濃度０．１％〜０．５％）を使用している
【０００３】〔発明が解決しようとする課題〕デザインルールが今後より微細化になります例えば０．０６ミクロンになった時、従来の技術で自然酸化膜が除去できるか、おそらく除去できないと思います完全に除去できるかどうかです
【０００４】〔課題を解決する手段〕フツ化水素酸とフツ化アンモニウムと超純水と界面活性剤の混合液をペーパ状（１００℃以上）にしてチヤンバー内を加圧します加圧することによって混合液のベーパが強制的にコンタクトホールの穴の中まで注入されます、化学反応で自然酸化膜を除去しますもちろん面内の自然酸化膜も除去します
【０００５】〔作用〕ＨＦとＮＨ４Ｆの水溶液の混合液であるバッファードフツ酸（略称ＢＨＦ）プラス界面活性剤液と自然酸化膜であるＳｉＯ２の反応式ＳｉＯ２＋２ＮＨ４＋＋２ＨＦ２−＋２ＨＦ→（ＮＨ４）２ＳｉＦ６＋２Ｈ２ＯクリーンホットＮ２ガス１００℃以上の加圧減圧の作用で強制的に（ＮＨ４）２ＳｉＦ６とＨ２Ｏを除去します
【０００６】〔実施例〕３００ミリウエーハ１枚。パタン巾０．１ミクロンアスペクト比４実験機のチヤンバーにウエーハを１枚収納チヤンバー内を１トールに減圧その後ＢＨＦプラス界面活性剤液のベーパ（１１５℃）をチヤンバー内のウエーハ面内にふきつけチヤンバー内の圧力を１２００トールにしました１２００トール後ベーパを排出するため７０トールにしました今度はチヤンバー内にクリーンホットＮ２ガス（２５０℃）を注入、圧力は１２００トールその後チヤンバー内の圧力を７０トールに減圧減圧の時、少しクリーンホットＮ２ガス（２５０℃）をブローします真空ポンプの力が大きいので７０トールに到達しますその後常温のクリーンＮ２ガスを注入してチヤンバー内の圧力を７６０トール位いにしてチヤンバーのフタがオープンしてテフロンのピンセットでウエーハを１枚取り出しました自然酸化膜の厚みは２５ナノメートル（２５ｎｍ）で実験したウエーハを取り出した時の厚みは３Å位いでしたたぶん測定器にウエーハが移動した時空気にふれて３Å発生したと思われます今回の装置と超純水等による洗浄及び乾燥ロードロック方式つまりクリーンＮ２ガス雰囲気内で処理すれば１Å以下になると思います
【０００７】〔発明の効果〕今後、半導体において微細化が進みます自然酸化膜（ＳｉＯ２膜）の発生を極力小さくする必要がありますウエーハの歩留り向上の為、ぜひ必要な技術です理想としてゼロÅ（０Å）に近づける事です
【図面の簡単な説明】
【０００８】
【図１】▲１▼ウエーハを▲２▼チヤンバー内に収納します、▲２▼チヤンバーのフタが閉になりますその後▲３▼バルブが開になります、と同時に▲４▼ケミカル真空ポンがＯＮして▲２▼チヤンバー内の圧力を１トールに減圧します▲３▼バルブが閉になると同時に▲４▼ケミカルドライ真空ポンプがＯＦＦになります▲８▼ヒーターで加熱された▲７▼混合液が、やがてベーパ状（１００℃以上）になりますその後▲６▼小型ケミカルコンプレッサーが作動と同時に▲５▼バルブが開になります▲２▼チヤンバー内の圧力を１２００トール位いにします到達後▲５▼バルブが閉にしますこの時▲８▼ヒーターはＯＦＦですその後▲３▼バルブが開になると同時に▲４▼ケミカルドライ真空ポンプがＯＮで▲２▼チヤンバー内の圧力を７０トール位いに減圧します７０トールになったら▲３▼バルブを閉と同時に▲４▼ケミカルドライ真空ポンプをＯＦＦにします▲１１▼クリーンＮ２ガスを▲１０▼石英製ヒーターで加熱すると同時に▲９▼バルブが開にします▲２▼チヤンバー内の温度を２５０℃にして圧力を１２００トールにしますその後▲２▼チヤンバー内の圧力を７０トール位いに減圧するため▲３▼バルブが開と同時に▲４▼ケミカルドライ真空ポンプが作動しますクリーンホットＮ２ガスを減圧している時▲２▼チヤンバー内にクリーンホットＮ２ガスを１／４位い▲２▼チヤンバー内に供給します減圧完了後▲１０▼ヒーターをＯＦＦにして常温の▲１１▼クリーンＮ２ガスを▲９▼バルブを開にして▲２▼チヤンバー内の圧力を７６０トール〜８００トールにしますその後▲２▼チヤンバー内のフタが開になり、ウエーハをテフロン製ピンセットで取り出しします
【符号の説明】
【０００９】  １  ３００ｍｍウエーハ  ２  チヤンバー  ３  バルブ  ４  ケミカルドライ真空ポンプ  ５  バルブ  ６  小型ケミカルコンプレッサー  ７  混合液  ８  ヒータ  ９  バルブ１０  石英製ヒーター１１  クリーンＮ２ガス
【図１】
2006173547.tif 000003
(57)【要約】【課題】  施工コストが安く、工期も短くなるようにする。【解決手段】  地上の複数階層に亘って連設してある耐震壁２の下部に剛に結合してある建物基礎構造Ａであって、地下階４における最下階層の床をフラットスラブ５で形成し、そのフラットスラブと、地下階を囲む外壁６と、地上近くの床７とを剛に結合して構成してある。【選択図】        図１
2006183281.tif 000002
【特許請求の範囲】
【請求項１】
地上の複数階層に亘って連設してある耐震壁の下部に剛に結合してある建物基礎構造であって、
地下階における最下階層の床をフラットスラブで形成し、
前記フラットスラブと、前記地下階を囲む外壁と、地上近くの床とを剛に結合して構成してある建物基礎構造。
【請求項２】
前記地上近くの床をフラットスラブで構成してある請求項１記載の建物基礎構造。
【発明の詳細な説明】
【技術分野】
【０００１】
本発明は、地上の複数階層に亘って連設してある耐震壁の下部に剛に結合してある建物基礎構造に関する。
【背景技術】
【０００２】
上記建物基礎構造は地震発生時における建物の転倒モーメントに抵抗できるように設けてあり、従来、地下階などの地下躯体とは別に、その地下躯体の下部地盤中に基礎梁や基礎スラブとして設けてある（例えば、特許文献１参照)。
【０００３】
【特許文献１】特開２００１−２０７５３０号公報
【発明の開示】
【発明が解決しようとする課題】
【０００４】
このため、基礎梁や基礎スラブを設けるための掘削工事費や山留工事費，掘削に伴う残土処分費などの地下工事費が増大して施工コストが高くなるとともに、工期が長くなる欠点がある。
本発明は上記実情に鑑みてなされたものであって、施工コストが安く、工期も短くなるようにすることを目的とする。
【課題を解決するための手段】
【０００５】
本発明の第１特徴構成は、地上の複数階層に亘って連設してある耐震壁の下部に剛に結合してある建物基礎構造であって、地下階における最下階層の床をフラットスラブで形成し、前記フラットスラブと、前記地下階を囲む外壁と、地上近くの床とを剛に結合して構成してある点にある。
【０００６】
〔作用及び効果〕
地下階などの地下躯体を利用して、地震発生時における建物の転倒モーメントに抵抗できる剛性を備えた建物基礎構造を、地下階における最下階層の床を形成するフラットスラブと、地下階を囲む外壁と、地上近くの床とを剛に結合して構成してあるので、地下躯体の下部に基礎梁や基礎スラブを設ける場合に比べて、掘削工事費や山留工事費，掘削に伴う残土処分費などの地下工事費の増大を抑制して施工コストを安くすることができるとともに、工期も短くすることができる。
尚、地下階を一階層にすれば、地下水位に影響されない施工が可能となる場合がある。
【０００７】
本発明の第２特徴構成は、前記地上近くの床をフラットスラブで構成してある点にある。
【０００８】
〔作用及び効果〕
地上近くの床をフラットスラブで構成してあるので、地下階の空間を、梁などの出っ張りが少なくて利用価値の高い空間に形成できる。
【発明を実施するための最良の形態】
【０００９】
以下に本発明の実施の形態を図面に基づいて説明する。
〔第１実施形態〕
図１〜図３は建築物の構造部材の概略を示し、地上の複数階層（本実施形態では６階層）を構成する軸組１の建物一端側に高剛性の耐震要素としての複数（本実施形態では三枚）の連層耐震壁２を並べて、各階層に亘って連設するとともに、耐震壁２どうしを連結梁３で互いに連結して、それらの耐震壁２の下部に本発明による建物基礎構造Ａを剛に結合してある。
【００１０】
前記建物基礎構造Ａは、地下階４における最下階層の床を基礎フラットスラブ５で形成して、その基礎フラットスラブ５と、地下階４を耐震壁２の並設方向から囲む左右の地下外壁６と、地上近くの床である床レベル１ＦＬが略グランドレベルと同じ一階床７とを剛に一体結合して、箱状に構成してあり、各耐震壁２を一階床７と基礎フラットスラブ５とに亘って剛に一体結合してある。
【００１１】
つまり、建物基礎構造Ａは、一階床スラブ８及びその梁９と、基礎フラットスラブ５とを上下のフランジとし、左右の地下外壁６をウエブとする構造であって、一階床スラブ８及びその梁９と、基礎フラットスラブ５との二点支持によって各耐震壁２を支持し、一階床スラブ８の梁９には、耐震壁２の剪断力を一階床スラブ８に伝達できるように軸鉄筋を配置してある。
【００１２】
各耐震壁２の地震時の剪断力Ｆは、図１中の矢印で示すように、一階床スラブ８及びその梁９によって地下外壁６に伝達されるように構成してあり、図２に示すように、各耐震壁２の地震時における曲げモーメント分布Ｍは、地下階４部分において逆剪断形となっている。
【００１３】
〔第２実施形態〕
図示しないが、第１実施形態において、一階床などの地上近くの床７をフラットスラブで構成してあっても良い。
【００１４】
〔その他の実施形態〕
１．本発明による建物基礎構造は、建物中央部に耐震壁を設けてある建物に適用しても良い。
２．本発明による建物基礎構造は、耐震壁が一枚の建物に適用しても良い。
３．本発明による建物基礎構造は、二階層以上を備えた地下階に適用しても良い。
４．本発明による建物基礎構造は、地下階を全周に亘って囲む外壁を、地下階における最下階層の床を形成するフラットスラブと、地上近くの床とに剛に結合して構成してあっても良い。
５．本発明による建物基礎構造は、グランドレベルよりも高い地上近くの床を使用して構成しても、グランドレベルよりも低い地上近くの床を使用して構成しても良い。
６．本発明による建物基礎構造は、基礎杭上に設置するものであっても良い。
７．本発明による建物基礎構造は、地上の複数階層を構成する軸組の東西方向端部と南北方向端部のように、軸組の複数方向の端部の夫々に、連層耐震壁を複数階層に亘って連設して、それらの連層耐震壁の下部に剛に結合してある建物基礎構造であっても良い。
【図面の簡単な説明】
【００１５】
【図１】構造部材の概略を示す斜視図
【図２】構造部材の概略図
【図３】構造部材の概略断面図
【符号の説明】
【００１６】
２  耐震壁
４  地下階
５  フラットスラブ（最下階層の床）
６  外壁
７  地上近くの床
Ａ  建物基礎構造
【図１】
2006183281.tif 000003
【図２】
2006183281.tif 000004
【図３】
2006183281.tif 000005
(57)【要約】【課題】近年は足ツボへの関心が高まり、足の健康器具が人気を呼び、足のツボを刺激する種々の健康法が注目されている。足ツボ療法の効果を得るためにも、日々繰り返し継続することが大切であるが、何処の部分のツボがどの臓器や器官に効果があるのか一目で分からないため継続し辛く、得たい効果も得難い。【解決手段】靴下の底面部分・図１−Ａに、図１−Ｂの人体図をプリントすることにより、臓器や器官のツボの位置が一目で分かる。手軽に何時でもツボを刺激することができるため、継続した足ツボ療法が促進でき、得たい効果を得ることができる。【選択図】図１
2006183223.tif 000002
【特許請求の範囲】
【請求項１】
靴下の底面・図１−Ａに、足ツボの位置が分かるような、図１−Ｂの人体図をプリントし、足ツボ療法により健康を促進することを特徴とする靴下。
【発明の詳細な説明】
【技術分野】
【０００１】この発明は、誰もが日常的に身につける靴下の底面に関する。
【背景技術】
【０００２】従来の靴下底面の効能は、足の汗の吸収や体温の維持及び足の保護等である。
【発明の開示】
【発明が解決しようとする課題】
【０００３】従来の靴下底面の効能は、足の汗の吸収や体温の維持及び足の保護等である。
そこで、この発明は、靴下底面・図１−Ａに、図１−Ｂの人体図をプリントすることにより、足裏のツボの位置が一目で分かることを課題とする。
自分でツボの部分を手軽に刺激することができ、体内の自然治癒力がを高められ、心身のバランスがとれた健康体をつくることを目的とした靴下を提供することを課題とする。
【課題を解決するための手段】
【０００４】以上の課題を解決するために、第一発明は、靴下の底面・図１−Ａに、足ツボの位置が分かるように、図１−Ｂの人体図をプリントし、健康を促進することを特徴とする靴下である。
【発明の効果】
【０００５】第一発明によれば、靴下の底面・図１−Ａに、図１−Ｂの人体図をプリントすることにより、足ツボの位置が一目で分かる。また手軽に足ツボ療法を施すことにより、体内の自然治癒力が高められ、心身のバランスがとれた健康体をつくることができる。
【発明を実施するための最良の形態】
【０００６】この発明の一実施形態を、図１に示す。
靴下の本体は布製であり、本体の靴下底面部分・図１−Ａに足ツボの位置が一目で分かる、図１−Ｂの人体図をプリントする。
【実施形態の効果】
【０００７】この実施形態によれば、靴下の底面部分・図１−Ａに、図１−Ｂの人体図をプリントすることにより、足ツボの位置が一目で分かる。したがって、手軽に足ツボ療法を施すことにより、血行を促進し症状が緩和改善され、体内の自然治癒力が高められ、心身のバランスがとれた健康体をつくることができる。
【他の実施形態】
【０００８】無し
【図面の簡単な説明】
【０００９】
【図１】この発明の一実施形態を示す裏視図である。
【図１】
2006183223.tif 000003
(57)【要約】【課題】  本発明は痔である肛門の腫れ、ただれ、裂肛や、又、性病などの現状自己診断等の為とか大腸癌等の早期発見に資するのを目的とする。【解決手段】  便器の後方より肛門、ビデ用ノズルの他に１本のライトと、小型カメラの付いたノズルを設ける。ライトによりカメラが目前に設けたコントロールパネルの一部に設けた、液晶カラーモニターに写る。又、ズーム機構もあり、鮮明に局所をみることができる。肛門洗浄用ノズルとこの小型カメラ付ノズルは左右に並んでも良く、上下に位置していても良い。この様にして、それらの病気を持病として持つ人には福音であり、又、手遅れになることもある大腸癌の肛門よりの出血等を検知出来る。又、汚物が完全に拭き取られたかどうかのチェックもできる。【選択図】  図１
2006183417.tif 000002
【特許請求の範囲】
【請求項１】
便器の後方より小型カメラとライトが装着された小型カメラ用ノズルが伸びて突出し、局所の写真がコントロールパネルに表示されることが可能な便器。
【請求項２】
肛門洗浄用及びビデ用ノズルと、該小型カメラ用ノズルが左右にある請求項１に記載の便器。
【請求項３】
該肛門洗浄用及びビデ用ノズルと、該小型カメラ用ノズルが上下にある請求項１に記載の便器。
【発明の詳細な説明】
【技術分野】
【０００１】
本発明は、便器の温水洗浄機の洗浄ノズルと共にＣＣＤカメラを装着してありモニターで肛門部及び陰部の状態を知る為の他の１本のノズルを設けたものである。
【背景技術】
【０００２】
従来よりの部品では、ノズル洗浄だけにとどまり、洗浄後の汚物付着確認目視や健康状態を自己診断することはできなかった。又、用便後ノズル洗浄を行い、さらにペーパーで拭き取り、汚物がついているか確認をそのトイレットペーパーにより目視する人が実際には多くいることから、直接カメラで映像を見ることによりもっと手軽に、痔や慢性病などの成人病を日々自己診断し且つ、癌等の病気の早期発見にも資する。即ち、清潔度チェック及び健康チェックを同時にできるのが本発明の利点である。
【特許文献１】先行特許文献は全く無い。
【非特許文献１】これに類するものは、まだ市場には全く無い。
【発明の開示】
【発明が解決しようとする課題】
【０００３】
本発明は、肛門等の部分を写真にとり、健康状態を自分で確認でき、又、汚れの落ち具合を確認できる便器を提供する。
【課題を解決するための手段】
【０００４】
本発明は、便器の後方より小型カメラとライトが装着された小型カメラ用ノズルが伸びて突出し、局所の写真がコントロールパネルに表示されることが可能な便器である。
【発明の効果】
【０００５】
従来では、不可能であった肛門、陰部の洗浄後における清潔感の確認を単に可能にするだけでなく、感覚的な嫌悪感から発生する羞恥心で発見が遅れていた性病や、痔の肛門の腫れ、ただれ、裂肛などを確認でき慢性化した血便状態を痔だと思い込み放置し、大腸癌にまで進行をしてしまった例などを未然に防ぐ第一歩として、医療的効果をもたらす。それらの病気を持っている人は多く、大きな福音となる。
【発明を実施するための最良の形態】
【０００６】
便器１に蓋２と、便座３がありこれにより蓋２を上げて、用が足せる。便器１の後方より、小型カメラ用ノズル４が伸長突出可能であり、その小型カメラ用ノズルに、小型カメラ５とライト６が設けられる。ライト６に照らされ小型カメラ５が局所を撮影する。
【０００７】
便器の後方よりのノズルは、小型カメラ用ノズルの他に肛門洗浄用及びビデ用ノズルがつく。この２つの部材の位置関係は互いに左右でも上下でも良い。
【０００８】
コントロールパネルＡは目前に設置し肛門洗浄ボタン７ビデ洗浄ボタン８の他に独立してカメラ起動ボタン９がつき作動させる。又、見たいポイントに位置移動拡大する機能即ち、ズーム機能のためボタンを設けるノズル上下ボタン１０が、ノズルを上下に動かせるようになっている。１１はズーム用ボタンボタンを押す。
【０００９】
Ｂは液晶カラーモニターであり、ここに全て写る。又、１２は停止ボタンである。図１で小型カメラ用ノズルの位置１３と肛門洗浄用ノズルの位置１４は並んでいるが上下でも良いものである。又、小型カメラの映像はプライバシーの問題もあるので有線接続形態が良い。使用者はトイレットペーパーで拭いた後にカメラ起動ボタンを押し、ノズルを上下し、ズームで移動拡大したりして見たい所が液晶カラーモニターで見え、自分の今日の健康状態を確認できる。
【産業上の利用可能性】
【００１０】
本発明は、今までのトイレの常識を画期的に改良したもので、広く利用される可能性がある。特に関連の病気中の人々には大きな福音であり多くの恩恵をもたらす。
【図面の簡単な説明】
【００１１】
【図１】斜視図である。
【図２】正面図である。
【図３】小型カメラノズルの先端を示す平面図である。
【図４】コントロールパネルの正面図である。
【符号の説明】
【００１２】
１  便器
２  蓋
３  便座
４  小型カメラ用ノズル
５  小型カメラ
６  ライト
７  肛門洗浄ボタン
８  ビデ洗浄ボタン
９  カメラ起動ボタン
１０  ノズル上下ボタン
１１  ズーム機能ボタン
１２  停止ボタン
１３  小型カメラ用ノズル位置
１４  肛門洗浄用ノズル位置
Ａ  コントロールパネル
Ｂ  液晶カラーモニター
【図１】
2006183417.tif 000003
【図２】
2006183417.tif 000004
【図３】
2006183417.tif 000005
【図４】
2006183417.tif 000006
(57)【要約】【課題】プラスチック、金属、床面、衣類などの表面に付着した油脂成分等を、その表面を損傷させることなく、環境に配慮した効率の良い洗浄除去させる方法を提供すること。【解決手段】この課題を解決するため、天然高級アルコール系非イオン界面活性剤、ミネラル酵素、Ｄ−リモネン等を配合することを特徴とする水溶性の強アルカリ性洗浄剤組成物。【特許請求の範囲】
【請求項１】
天然高級アルコール系非イオン界面活性剤、ミネラル酵素、Ｄ−リモネン等を配合することを特徴とする水溶性の強アルカリ性洗浄剤組成物。
【発明の詳細な説明】
【技術分野】
【０００１】  ▲１▼厨房機器・機械工具・輸送機器・床の油汚れの洗浄、▲２▼タバコのヤニ・床面のワックスの除去、▲３▼作業着の汚れの洗浄を用途とする強アルカリ性洗浄剤組成物に関するものである。
【背景技術】
【０００２】  これまでの洗浄剤組成物は、有機溶剤やノニオン系の環境ホルモンに該当する界面活性剤を使用し、弱アルカリ性のもので、洗浄力や洗浄後の環境汚染に課題がある。
【発明の開示】
【発明が解決しようとする課題】
【０００３】  本発明は、洗浄力を向上し、洗浄後の排水汚染を防止することにある。さらに、洗浄剤の仕様量を減らし、素材の損傷を防ぐことである。
【課題を解決するための手段】
【０００４】  前述の課題を解決するために本発明者は、鋭意研究の結果、天然高級アルコール系非イオン界面活性剤を主成分としたものに、ミネラル酵素、Ｄ−リモネン等を配合することにより、適度の起泡性、良好な泡、高い生分解性のある強アルカリ性洗浄剤組成物を発見した。
【発明の効果】
【０００５】  本発明は、洗浄力が向上し、洗浄後の排水による環境汚染の影響を防止することができる。
【発明を実施するための最良の形態】
【０００６】  本発明の洗浄剤組成物は、液状である。原液又は希釈した洗浄液を、洗浄面に吹き付けるか、スポンジに浸す。その後、乾いた布で拭き取る。
【産業上の利用可能性】
【０００７】  本発明の洗浄剤組成物は、工業的に量産することが可能であり、産業上の利用可能性を有する。
(57)【要約】【課題】  白金溶液等から回収した塩化白金酸アンモニウム及びまたは白金中の不純物濃度が高い場合、従来法では、工程の始めに戻すか、別途精製工程戻す等の必要があり、手間と時間がかかっていた。  上記の煩雑な処理をすることなく、容易に高純度の白金を得る方法提供することを目的とする。【解決手段】白金中の不純物の除去に際して、塩化白金酸アンモニウム及びまたは白金に対して、酸素含有ガス気流中で800〜950℃に加熱し、少なくともルテニウムを30mass ppm以下にする白金中の不純物除去方法。【選択図】  図１
2006183099.tif 000002
【特許請求の範囲】
【請求項１】
塩化白金酸アンモニウム及びまたは白金中の不純物の除去に際して、酸素含有ガス気流中で800〜950℃に加熱し、少なくともルテニウムを30mass ppm以下にすることを特徴とする白金中の不純物除去方法。                  
【請求項２】
請求項1記載の酸素含有ガスが空気であることを特徴とする白金中の不純物除去方法。    
【請求項３】
請求項２記載の空気量が、白金１ｇ当たり0.005から0.05L/minであることを特徴とする白金中の不純物除去方法。
【発明の詳細な説明】
【技術分野】
【０００１】
本発明は、白金中の不純物除去方法に関する。
特に、白金中のルテニウム等の不純物を効率良く除く方法に関するものである。
【背景技術】
【０００２】
銅製錬殿物を原料とする白金の製造方法において、従来の不純物分離方法は、白金を製造する際の溶媒抽出条件や水溶液の中和条件をコントロールする方法が主なものであった。
【０００３】
特許第3480216号（特許文献１）に抽出条件制御での分離精製例が、
特開平10-102156号（特許文献２）に中和条件制御での分離精製例が提示されている。
【０００４】
上記の方法は、何れも回収した塩化白金酸アンモニウム或いは白金からルテニウムを除く方法ではなく、特許文献１では、溶媒抽出法において水相側にルテニウムを除去する方法であり、特許文献２では、湿式法において酸化処理後殿物中にルテニウムを回収する方法であるため、回収した塩化白金酸アンモニウム或いは白金を前工程に繰り返す必要があるため、工程が煩雑となり好ましくない。
【０００５】
【特許文献１】特許第3480216号
【特許文献２】特開平10-102156号
【発明の開示】
【発明が解決しようとする課題】
【０００６】
回収した塩化白金酸アンモニウム或いは白金中の不純物濃度が高い場合、従来法では、工程の始めに戻すか、別途精製工程に戻す等の必要があり、手間と時間がかかっていた。
【０００７】
本発明は、上記の煩雑な処理をすることなく、容易に高純度白金を得る方法を提供することを目的とする。
【課題を解決するための手段】
【０００８】
本発明者らは、上記の問題を解決すべく、以下の発明を成した。
即ち本発明は、
（１）塩化白金酸アンモニウム或いは白金中の不純物の除去に際して、塩化白金酸アンモニウム及びまたは、白金に対して、酸素含有ガス気流中で800〜950℃に加熱し、少なくともルテニウムを30mass ppm以下にすることを特徴とする白金中の不純物除去方法。 
【０００９】
（２）上記（１）記載の酸素含有ガスが、空気であることを特徴とするスポンジ白金中の不純物除去方法。  
【００１０】
（３）上記（２）記載の空気量が、白金１ｇ当たり0.005から0.05L/minである白金中の不純物除去方法。
である。
【発明の効果】
【００１１】
本発明によれば、
（１）白金中の不純物の除去ができ、99.99mass
%以上の高品質の白金が容易に得られる。
【００１２】
（２）白金中のルテニウム、セレン等を容易に除去できる。
【発明を実施するための最良の形態】
【００１３】
以下本発明に関して、詳細に説明する。
本発明に関する対象は、塩化白金酸アンモニウム或いは、白金である。例えば、塩化白金酸アンモニウムは、不純物としてパラジウムを10mass ppmより少なく、ルテニウムを150から450 mass ppm、セレンを700から1000 mass ppm、テルルを5
mass ppmより少なく含むものである。
【００１４】
又本発明の他の対象である白金は、例えば、不純物としてパラジウムを15 mass ppmより少なく、ルテニウム100から200 mass ppm、セレン100から200 mass ppm、テルルを5
mass ppmより少なく含むものである。
【００１５】
塩化白金酸アンモニウムが加熱によって分解する温度は、500〜600℃であるが、本発明においては、酸素含有ガス中において、800から950℃で加熱処理する。
上記処理により、セレンが10mass ppm以下、ルテニウムが30 mass ppm以下の白金が得られる。
【００１６】
酸素含有ガスは、空気であってもよく、酸素富化ガスであっても良い。
空気である場合は、白金1ｇ当たり0.005から0.05L/min吹くことが好ましい。
この吹込みによりセレンを10mass ppm以下、ルテニウムを30 mass ppm以下にすることが出来る。
【実施例】
【００１７】
（実施例１）
表1に示す組成のルテニウム300mass ppm、セレン810mass ppm含む塩化白金酸アンモニウムを、図1に示す処理フローに沿い処理を行った。
この結果、分解炉で900℃まで加熱し、炉内温度500℃以上でになったところから空気を白金１ｇ当たり0.02L/min吹き込むことで、ルテニウムが22
mass ppm、セレンが10 mass ppmより低い白金が得られた。
【００１８】
この処理により、塩化白金酸アンモンから99.99mass%以上の高純度の白金を、容易に得ることができた。
【表１】
2006183099.tif 000003
【００１９】
（比較例１）
実施例1使用した塩化白金酸アンモニウムを、分解炉で600℃まで加熱し、炉内温度600℃に保持した。炉内温度500℃以上でになったところから、空気流量を白金１ｇ当たり0.05L／min流すと、表1に示すように、ルテニウムが120mass
ppm、セレンが120 mass ppmの白金が得られた。
空気吹き込み時間はいずれも5時間である。
【００２０】
（実施例２）
上記比較例1で得られた白金を再び加熱し、炉内温度500℃以上でになったところから空気を白金１ｇ当たり0.01L／min流しながら、炉内温度：900℃まで加熱すると、表1に示すように、ルテニウムが17mass
ppm、セレンが10 mass ppmより低い白金が得られた。
空気吹き込み時間は5時間である。
【００２１】
白金に空気を吹き込みつつ、加熱することにより、容易に高純度の白金を得た。
【００２２】
（比較例２）
実施例２と同様に比較例1で得られた白金を、空気を吹き込まずに再び900℃まで加熱すると、表1に示すように、ルテニウムが110mass ppmと低下しなかった。
よって、酸素含有ガスを吹き込むことが、必須であることを把握した。
【図面の簡単な説明】
【００２３】
【図１】本発明が適用される処理フローの一態様である。
【図１】
2006183099.tif 000004
(57)【要約】【課題】海水は電気伝導度が良いが、帰路が長いので電気抵抗は大きくなり、電解コンデンサーの耐圧一杯迄使ふ様になり若干不安は残る。【解決手段】銅線なら各種、何処にでもあるが機械的に弱いので、ステンレスチールの撚線を特註したが、絶縁のビニールコートが今一つシックリこない。需要が増えればもつと良い物が出來るだろう。【選択図】  なし【特許請求の範囲】
【請求項１】
金属線で釣糸を作る場合、張力等の丈夫さはステンレス等の鉄類を主体として、細線を用ふるが、此れに金、銀、銅、炭素等の電気の良導体を厚くメッキすれば、合成電気抵抗は低くなり、電圧を上げなくとも目的を達する事が出來る。    又金、銀、銅の箔を巻き込んだり金、銀、銅の細線を併用しても、同様の効果が上る。  此の様な構成をもって電気的に絶縁被覆された電気抵抗を低くした釣糸。
【請求項２】
狭い船上で効率良く発電するには縦長で三枚羽根のくるくる風で回る広告の看板がありますが、これに少さな発電機を付ければ良い。三枚ブレードの動きと風の向が逆行する部分は損失になるので、後帆のスパンカーを持った回転カバーに依りマイナス部分を覆い効率を良くした風力発電機。
【請求項３】
電気を流して漁獲する場合、釣糸は１００米以上にもなるため、電流の帰路である海中の電気抵抗は大きいので、広い面積を持った電極にする必要があり、ハル全体、又はヨットのキール等、船底の大部分を電気の良導体とした広い電極構造を持った船。
【発明の詳細な説明】
【技術分野】
【０００１】  本発明はかかった大魚を絶対に逃さない為のカイドラインである。
【背景技術】
【０００２】  船に曳き寄せて引き上げる時に仮死状態にする物はあったがそこに至る迄にバラしてしまう事が多く、漁師達は残念がっていた。
【発明の開示】
【発明が解決しようとする課題】
【０００３】  魚が餌に喰いついた時点で矩形波を通電するので、仮死状態となり魚が暴れ釣糸を切られる心配が少なく、確実に魚獲できる効果が究めて大きい。
【課題を解決するための手段】
【０００４】  コンデンサーに常に充電しなけれならぬのでインバーターの消費電力は大きく船のエンジン用のバテリイとは別にする必要がある。
スタンガンの様に高電圧にする必要はないが海中の帰路が伸びるに従って電圧を高くしなければならぬ。実験的に必殺電流が決れば、其後はコンデンサーに蓄電する必要は無く、巻取りモーター専用に稼働させる事が出來る。
【発明の効果】
【０００５】  今迄はどんな大物が掛かるか解らないので太めのラインを用いていたが杞憂となり、一度掛った魚は二度と逃さないと云う安心感が生れた。
【産業上の利用可能性】
【０００６】  上述した様に本発明は魚を始めから仮死状態にするので、マグロの様に群れて回遊する魚類は、長時間魚とファイトする事なく、静かに一本釣りされれるので、仲間の魚に気付かれぬ内にすぐ次の餌を投入することが出來、連続的に釣れるので効率が良い。
(57)【要約】【課題】  地元の食材の美味しさを訴求する為に、比内地鶏の肉と畑のキャビヤであるトンブリの形状と食感を保持したまま、串付きりたんぽに封入する。【解決手段】  精米にスープを加え、電気炊飯器で炊飯し、味付けご飯を得る。この味付けご飯に、予め甘辛く調味した比内地鶏の挽肉とトンブリ加え、かるく混合する。これをきりたんぽ製造機（トーヨー）に投入し、串を刺したきりたんぽに成形する。畑のキャビヤと言われているトンブリが破壊されることなくご飯に封入され、独特な食感を呈する。【選択図】  なし【特許請求の範囲】
【請求項１】
味付けご飯に、予め甘辛く調味した挽肉とトンブリ加え、かるく混合する。これをきりたんぽ製造機に投入し、串を刺してきりたんぽに成形する。
【請求項２】
請求項１のきりたんぽを１本から２０本をまとめプラスチック袋にいれ真空包装し、レトルト処理したもの。
【発明の詳細な説明】
【発明の詳細な説明】
【技術分野】  この発明は、味と具を付与したきりたんぽに関するものである。
【背景技術】  飯米の加工品であるきりたんぽは通常、きりたんぽ鍋として鶏肉やきのこ類と一緒に喫食されていた。串に刺したきりたんぽの表面に味噌タレをつけ食べる「味噌たんぽ」も秋田県内の道の駅などで販売されているが、あまり普及していない食品であった。地域食品加工の手引き（家の光協会、ｐ．４２−５２，１９９９）には「変わり種のきりたんぽ」の例や新たな提案がみられる。きりたんぽ製造に密接な技術は米加工関連の特許にも散見される。例えば、内部の米飯や具材を内包したすり身ボール（特開２００５−１３０６４）、調理時間をなくし美味しく栄養が豊で、しかも簡便に摂食することのできる串付おにぎり（特開２００５−３）、精白うるち米に上新粉を加えて蒸練機にかけ、蒸して練ったもち状のものを押し出し成形して米加工品を得る例（特開２００３−６１６０１）などである。
【発明の開示】
【発明が解決しようとしている課題】
味噌たんぽがそれ程普及していない原因として、ご飯に味が付いていないために食べても美味しくないことに起因している。大館市や比内町が発祥の地とされているきりたんぽが、秋田の特産物から全国的な食品へと飛躍するためには一工夫が必要である。簡便に摂食することのできる串付きりたんぽに、地元の食材の美味しさを訴求する為に、比内地鶏の肉と畑のキャビヤであるトンブリの形状と食感を保持したまま封入するという難題に取り組んだ。
【課題を解決するための手段】
精米にスープを加え、電気炊飯器で炊飯し、味付けご飯を得る。精米の３０％から６０％を上新粉やそのたの米の粉に代替してもよい。この味付けご飯に、予め甘辛く調味した比内地鶏の挽肉とトンブリ加え、かるく混合する。これをきりたんぽ製造機（トーヨー）に投入し、串を刺したきりたんぽに成形する。
通常は、きりたんぽを１本から２０本をまとめプラスチック袋にいれ真空包装し、レトルト処理し賞味期限を確保する。成形したきりたんぽを冷凍あるいは油で揚げ日持ちを延長することもできる。
【発明の効果】
本発明により、ご飯に畑のキャビヤといわれているトンブリを主体とした具材が混入され、独特のプチプチ感を備えたきりたんぽが製造できるので、新規な食品として消費者に訴求することができる。
【発明を実施するための最良の形態】
【実施例】実施例１
あきたこまち２合に「鶏めしの素」のスープ（有限会社四季菜）１００ｍｌと水３００ｍｌを加え、電気炊飯器で炊飯し、味付けご飯を得た。この味付けご飯に、予め甘辛く調味した比内地鶏の挽肉１００ｇとトンブリ（ＪＡ北欧）５０ｇを加え、かるく混合した。これをトーヨーのきりたんぽ製造機に投入し、串を刺したきりたんぽに成形した。この成形きりたんぽをセラミックヒーターを使用した焼成機の中を移動し、表面に焼き目を入れた。
実施例２
あきたこまち２合に「鶏めしの素」のスープ１００ｍｌ、具５０ｇ（有限会社四季菜）水３００ｍｌを加え、電気炊飯器で炊飯し、味付けご飯を得た。この味付けご飯に、予め甘辛く調味した比内地鶏の挽肉５０ｇとトンブリ（ＪＡ北欧）５０ｇを加え、かるく混合した。これをトーヨーのだまこ製造機に投入し、直径３ｃｍの球形に成形した。このだまこをセラミックヒーターで焼成し、焼きダマコを製造した。完成しただまこ６個から２０個をまとめプラスチック袋にいれ真空包装した。
実施例３
あきたこまち１合と上新粉１合に「鶏めしの素」のスープ１００ｍｌ（有限会社四季菜）と水３００ｍｌを加え、電気炊飯器で炊飯し、味付けご飯を得た。この味付けご飯に、予め甘辛く調味した比内地鶏の挽肉５０ｇとトンブリ（ＪＡ北欧）５０ｇを加え、かるく混合した。これをトーヨーのきりたんぽ製造機に投入し、串を刺したきりたんぽに成形した。この成形きりたんぽを１６０℃の食用油中で１分間揚げた後、取り出し油切りした。